(57)【要約】【課題】遊技機の遊技ハンドル部から入り込む静電気などのノイズが遊技機に備える多数の基板に回り込むことを回避して対処することができる遊技機の電源装置の提供を目的とする。【解決手段】この発明は、外部から導入した電源から遊技機で使用する動作電源を生成する電源回路を搭載した電源基板に、遊技機の遊技ハンドル部に装備する回路装置から入り込むノイズを除去するノイズ対策回路を搭載して、遊技ハンドル部で受けた静電気などのノイズを外部電源の元が存在する場所で対処することができて、該ノイズを他の基板に回り込ませることが回避でき、静電気などのノイズによる誤動作が確実に防止できる。【選択図】    図２
2004305408.tif 000002
【特許請求の範囲】
【請求項１】
外部から導入した電源から遊技機で使用する動作電源を生成する電源回路を搭載した電源基板に、遊技機の遊技ハンドル部に装備する回路装置から入り込むノイズを除去するノイズ対策回路を搭載した
遊技機の電源装置。
【請求項２】
前記電源基板に、遊技操作装置の制御回路を搭載した
請求項１記載の遊技機の電源装置。
【請求項３】
前記ノイズ対策回路をサージ保護素子で形成した
請求項１または２記載の遊技機の電源装置。
【請求項４】
前記ノイズ対策回路を、ノイズをグランドまたは外部電源の交流側に逃がす手段で形成した
請求項１または２記載の遊技機の電源装置。
【発明の詳細な説明】
【０００１】
【発明が属する技術分野】
この発明は、例えば、パチンコ遊技機、アレンジボール式遊技機、スロットマシンなどの遊技機において外部から導入した電源を内部で使用する動作電源に生成するような遊技機の電源装置に関する。
【０００２】
【従来の技術】
上述のパチンコ遊技機を例にすると、該パチンコ遊技機内には多くの基板を配備しており、これらの基板に対して外部から導入した電源から動作電源を生成して供給している。
【０００３】
上述の多くの基板は、例えば、メイン制御基板の他に、賞球の払出しやカード式遊技機の場合であれば貸球の排出制御などのために配備された賞球払出し制御基板、図柄表示装置の制御を行う図柄表示制御基板、遊技盤面およびパチンコ遊技機の枠側に配設された各種ランプ／ＬＥＤへの電源や信号を供給するための各種ランプ中継基板、遊技球を遊技盤面に向けて発射する遊技球発射装置の制御を行う遊技球発射装置制御基板、音声出力の制御を行う音声制御基板、各種入賞スイッチや状態検出スイッチに関するスイッチ基板、遊技盤面に装着される各種の可変入賞装置のための制御基板など、多種多様の機能基板が存在する。
【０００４】
上述した多くの機能基板に配設された各電気部品要素に対する動作電源の供給方法には、次の２種の方法が存在する。
すなわち、第１の方法は、上述した多く機能基板の内、選択した幾つかの機能基板に動作電源を生成する電源回路を併設搭載して、これに外部電源を導入して動作電源を生成し、生成した動作電源を当該基板に供給すると同時に、近接する他の機能基板に対して動作電源を分岐供給する方法（特許文献１参照）。
【０００５】
第２の方法は、外部電源を導入して動作電源を生成する電源回路を搭載した動作電源生成専用の電源基板を設けて、この電源基板で生成した動作電源を他の各機能基板に供給する方法（特許文献１参照）。
【０００６】
しかし、上述の何れの電源供給方法でも、遊技者がパチンコ遊技機の遊技ハンドル部を把持することで生じる静電気などのノイズにより、いずれかの機能基板に誤動作が発生しやすい問題点を有している。
【０００７】
すなわち、上述の遊技ハンドル部は、遊技球を遊技盤面に向けて発射する遊技球発射装置における発射レバーを装備している他、遊技者が発射レバーの操作状態にあることを検知するために、ハンドル部に手を乗せたことを検知するタッチセンサの電極や、さらに、発射レバーが停止位置にあることを検知する停止スイッチおよび遊技球の発射を遊技中でも停止する遊技球停止スイッチを設けているので、この遊技ハンドル部に遊技者に帯電した静電気が放電されると、該静電気がノイズとして上述のタッチセンサの電極あるいは各スイッチラインから内部の回路構成部、すなわち、遊技球発射装置制御基板に入り込む。
【０００８】
このように遊技球発射装置制御基板に静電気ノイズが入り込むと、該静電気ノイズは該基板のグランドライン（ＧＮＤ）を通じ、電源を供給する基板に入り込み、供給される外部電源の交流側より逃げる。
【０００９】
しかし、前述した電源供給方法において、第１の電源供給方法では、幾つかの機能基板に外部電源を分岐導入した電源回路を搭載しているので、入り込んだ静電気ノイズは外部電源の交流側に逃げるとき、外部電源を分岐導入した幾つかの機能基板を通り過ぎることになるので、この通過時に機能基板内の回路に回り込んで該回路を誤動作させたり、あるいは絶縁破壊を起こしたりする問題点となる。
【００１０】
例えば、外部電源を外部接続端子基板から、賞球払出し制御基板とメイン制御基板に分岐供給し、さらに、分岐された賞球払出し制御基板から遊技球発射装置制御基板に外部電源を分岐供給して、各基板に搭載した電源回路で動作電源を生成した場合、タッチセンサから入り込んだ静電気ノイズは、遊技球発射装置制御基板、賞球払出し制御基板を経て外部接続端子基板から外部電源の交流側に逃げようとするが、しかし、該静電気ノイズが通過した賞球払出し制御基板で誤動作が発生しやすいばかりか、該賞球払出し制御基板から外部電源を分岐供給したメイン制御基板にも回り込み、ここで誤動作が発生する問題点となる。
【００１１】
また、前述した第２の電源供給方法では、動作電源生成専用の電源基板から各基板の全体に動作電源を供給するため、複数の出力を持ち、ＧＮＤラインを共有するので、タッチセンサから入り込んだ静電気ノイズが遊技球発射装置制御基板に入り、該基板からＧＮＤラインを介して他の機能基板に回り込み、入り込んだ先の機能基板の回路を誤動作させる問題点となる。また、静電気ノイズを逃がす距離が中継などの配線で長くなると、インピーダンスが増加するため、静電気ノイズが逃げ難くなり、遊技球発射装置制御基板を通じて他の機能基板に回り込むことがあり、回り込み先の機能基板の回路を誤動作させる問題点となる。
【００１２】
係る問題点は、上述したパチンコ遊技機のみならず、遊技者が遊技ハンドルを操作して遊技するアレンジボール式遊技機、スロットマシンなどの遊技機においても同様に存在するものである。
【００１３】
【特許文献１】
特開２００１−２５９１３１号公報。
【００１４】
【発明が解決しようとする課題】
この発明は、遊技機の遊技ハンドル部から入り込む静電気などのノイズが遊技機に備える多数の基板に回り込むことを回避して対処することができる遊技機の電源装置の提供を目的とする。
【００１５】
【発明が解決しようとする課題】
この発明は、外部から導入した電源から遊技機で使用する動作電源を生成する電源回路を搭載した電源基板に、遊技機の遊技ハンドル部に装備する回路装置から入り込むノイズを除去するノイズ対策回路を搭載した遊技機の電源装置であることを特徴とする。
この構成によれば、遊技ハンドル部で受けた静電気や電磁波などのノイズを外部電源の元が存在する場所で対処することができるので、該ノイズを他の基板に回り込ませることが回避できる。
【００１６】
発明の形態として、前記電源基板に、遊技操作装置の制御回路、例えば、パチンコ遊技機であれば遊技球発射装置制御回路を搭載することができる。
この構成によれば、遊技球発射装置制御回路にタッチセンサやその他の信号ラインが遊技ハンドル部から接続されるので、ノイズ対策回路の組み込みが容易となる。
【００１７】
さらに、前記ノイズ対策回路をサージ保護素子で形成することができ、例えば、コンデンサ、ダイオード、サージアブソーバ、その他、マイクロギャップで構成することができる。
【００１８】
また、前記ノイズ対策回路を、ノイズをグランドまたは外部電源の交流側に逃がす手段で形成することもできる。
【００１９】
【発明の効果】
この発明によれば、遊技機の遊技ハンドル部から入り込む静電気などのノイズが遊技機に備える多数の基板に回り込むことを回避して、静電気などのノイズによる誤動作が確実に防止できる。
【００２０】
【発明の実施の形態】
この発明の一実施例を以下図面と共に説明する。
図面はパチンコ遊技機を示し、図１において、パチンコ遊技機１０は、外枠１１の上段部に枠ランプ１２を配備し、その下部に遊技盤１３を形成している。遊技盤１３の中央には図柄表示部１４を形成し、また、この遊技盤１３の盤面には必要なランプやＬＥＤが装着される。
【００２１】
遊技盤１３の下部には遊技を行うために発射する遊技球を貯留する上皿１５と、その下部に賞球を貯留する下皿１６を配置し、該下皿１６の右側には遊技球を発射する遊技球発射装置（図示省略）の遊技ハンドル部１７を配設している。
【００２２】
上述の遊技ハンドル部１７は、ハンドルノブ１８、これに回動可能に支持された発射レバー１９を有し、遊技者はハンドルノブ１８に掌を乗せて指で発射レバー１９を回動操作することで遊技球の発射が可能となる。また、上述のハンドルノブ１８は合成樹脂の表面に金属メッキを施すことにより、遊技者がタッチしたことを検知するタッチセンサの電極を形成しているが、発射レバー１９を金属で形成することにより、これをタッチセンサの電極として利用することもできる。
【００２３】
図２は、上述したパチンコ遊技機１０の電源装置を示し、該電源装置２０は電源基板２１に動作電源を生成する電源回路２２を搭載することによって構成している。
【００２４】
上述の電源回路２２は、外部から導入される外部電源（例えばＡＣ２４Ｖ）を遊技機で使用する動作電源、例えば、ＤＣ３４Ｖ．ＤＣ１２Ｖ．ＤＣ５Ｖ．全波２４Ｖなどの動作電源を生成する。
【００２５】
この電源基板２１から動作電源を供給する機能基板は、ランプ系を制御するランプ制御基板２３、該基板２３から動作電源を中継する枠用ランプ中継基板２４と盤面用ランプ中継基板２５、音声出力を制御する音声制御基板２６、図柄表示部１４の図柄を表示制御する図柄表示制御基板２７、なお、該基板２７は通常図柄表示装置２８と液晶表示ユニット２９とを制御し、それぞれの装置２８、２９に動作電源を供給している。また、メイン制御基板３０、賞球の払出しの制御を行う賞球払出し制御基板３１である。
【００２６】
上述の電源基板２１には遊技球発射装置の発射装置制御回路３２を搭載している。従来では発射装置制御回路３２は該回路３２専用の基板を形成してこれに搭載していたが、この実施例では電源基板２１に搭載していることを特徴としている。
【００２７】
上記遊技球発射装置は、前述の遊技ハンドル部１７に形成されてハンドルノブ１８に遊技者の掌が載せられたことを検知するタッチセンサ３３、発射レバー１９が遊技球を発射する発射位置でもその発射動作を停止させる発射停止スイッチ３４、発射レバー１９が発射しない停止位置にあることを検知する停止スイッチ３５の他、発射レバー１９の回動量に発射力を対応させて遊技球の発射を行う発射モータ（図示省略）、該発射モータの回動で遊技球の発射を可能にする発射機構（図示省略）などで構成している。
【００２８】
さらに、前述の発射装置制御回路３２は上述の発射モータを駆動制御するために、タッチセンサ３３、発射停止スイッチ３４、停止スイッチ３５からの信号を受けるように信号ラインを接続し、さらに、回路３２には発射レバー１９の回動量を検知した信号を入力している。そして該発射装置制御回路３２には電源回路２２から動作電源が供給される。
【００２９】
前述した電源基板２１には、前述の遊技ハンドル部１７に装備する回路装置、すなわち、タッチセンサ３３や、該センサ３３、発射停止スイッチ３４、停止スイッチ３５の信号ラインから入り込む静電気などのノイズを除去するノイズ対策回路３６を搭載している。
【００３０】
上述のノイズは静電気の他に、電磁波によるノイズなども存在するが、ノイズの多くは遊技者の体に帯電した静電気によるノイズであるため、この静電気ノイズについて説明すると、図３にも示すように、上述した発射装置制御回路３２には発射モータを駆動制御する発射用モータ制御回路４０を備え、該回路４０の入力回路（図示省略）に前述のタッチセンサ３３、発射停止スイッチ３４、停止スイッチ３５の各信号が入力されされるように各信号ラインが接続され、また、該発射用モータ制御回路４０からは駆動信号が発射モータに出力される。
【００３１】
さらに、タッチセンサ３３の信号ラインはその入力回路から分岐して直接ノイズ対策回路３６に接続し、また該ノイズ対策回路３６は外部電源の入力側ラインに接続して、タッチセンサ信号ラインから入り込んだ静電気ノイズを直接外部電源の交流側に逃げるように形成している。勿論、発射停止スイッチ３４、停止スイッチ３５の各信号ラインに対して静電気除去対策を行う場合も、各信号ラインを上述のタッチセンサ３３の信号ラインと同様にノイズ対策回路３６に接続して、処理することもできる。
【００３２】
なお、ノイズ対策回路３６は、例えば、コンデンサ、ダイオード、サージアブソーバ、マイクロギャップなどで構成することができる。
【００３３】
前述の電源回路２２は、外部電源を整流する整流回路４１を備え、さらに該整流回路４１の出力で各種の動作電源を生成する動作電源生成回路４２…を備え、各動作電源生成回路４２…から各基板に必要な動作電源が供給される。
【００３４】
上述のように構成した電源装置のノイズ対策回路３６によれば、遊技者が遊技開始のために遊技ハンドル部１７のハンドルノブ１８に掌を接触したとき、該ハンドルノブ１８が構成するタッチセンサ３３の電極に対して、遊技者の体に帯電していた静電気が放電されると、該静電気ノイズはタッチセンサ３３の電極の信号ラインから発射用モータ制御回路４０のタッチセンサの入力回路から直接ノイズ対策回路３６に流れ、該回路３６から外部電源元でその交流側に逃がされる。
【００３５】
この結果、タッチセンサ３３から入り込んだ静電気ノイズは、最短の経路で直接的に外部電源の交流側に逃がすことができるので、静電気ノイズを他の基板２３、２４、２５、２６、２７、３０に入り込ませることが防止され、各基板での誤動作が確実に防止される。
【００３６】
上述の実施例では、電源基板２１に発射装置制御回路３２を搭載したが、この回路３２を別の基板に搭載して構成したときも、タッチセンサ３３の入力回路から前述したノイズ対策回路３６に分岐ラインを接続することによって、上述と同様に静電気ノイズを外部電源の交流側に直接逃がすことができる。
【００３７】
図４は、電源基板２１の他の例を示し、上述の実施例の電源基板２１と同様の機能を備えた構成要素には同一の符号を付してその詳細な説明を省略する。
外部電源はＡＣラインの他に、ＧＮＤラインを電源基板２１に接続しており、また、電源基板２１は金属筐体４３で囲繞しており、この金属筐体４３が接地されることによって、該金属筐体４３がフィールドグランドを形成している。
【００３８】
タッチセンサ３３からの信号ラインは分岐されてその一方が発射用モータ制御回路４０のタッチセンサの入力回路に接続されるが、分岐された他方は直接金属筐体４３に接続してフィールドグランドに落とすことができる。
【００３９】
この場合、タッチセンサ３３から入り込んだ静電気ノイズをフィールドグランドに逃がすことができる。
【００４０】
また、他の方法としては、上述した分岐したタッチセンサ３３の他方の信号ラインをノイズ対策回路３６に接続し、該回路３６を外部電源の入力側ラインに接続することによって、タッチセンサ３３から入り込んだ静電気ノイズを外部電源の交流側に逃がすことができる。
【００４１】
さらに、他の方法としては、上述した外部電源にはＧＮＤラインが併設されているので、このＧＮＤラインにノイズ対策回路３６を接続して、該ＧＮＤラインからタッチセンサ３３から入り込んだ静電気ノイズを逃がすことができる。
【００４２】
この発明の構成と、実施例との対応において、
この発明の遊技機は、実施例のパチンコ遊技機１０に対応し、
以下同様に、
遊技操作装置の制御回路は、遊技球発射装置の発射装置制御回路３２に対応するも、この発明は実施例の構成のみに限定されるものではなく、例えば、実施例ではパチンコ遊技機１０の電源装置２０として説明しているが、この電源装置はアレンジボール式遊技機、スロットマシンなどの遊技者が操作する遊技操作装置を備えた遊技機においても利用することができる。
【図面の簡単な説明】
【図１】パチンコ遊技機の正面図。
【図２】電源装置の系統図。
【図３】電源基板のブロック回路図。
【図４】他の例を示す電源基板のブロック回路図。
【符号の説明】
１０…パチンコ遊技機
１７…遊技ハンドル部
２０…電源装置
２１…電源基板
３２…発射装置制御回路
３３…タッチセンサ
３４…発射停止スイッチ
３５…停止スイッチ
３６…ノイズ対策回路
【図１】
2004305408.tif 000003
【図２】
2004305408.tif 000004
【図３】
2004305408.tif 000005
【図４】
2004305408.tif 000006